(57)【要約】【課題】  より趣向を凝らした時計装置を得ること。【解決手段】複数の出力パターンを出力可能に設定してなる時計装置において、時刻表示部１１が設けられた時計ケース１０と、立体１１０と、立体の上下方向に対する向きを検出する検出装置１００とを備え、検出装置にて検出された立体の向きに応じて、複数の出力パターンのなかから実際に出力する出力パターンを決定する構成の時計装置である。例えば、立体１１０の向きを変えることにより、予定時刻に発生する報知音が変更される目覚まし時計である。【選択図】図２
2005274207.tif 000002
【特許請求の範囲】
【請求項１】
複数の出力パターンを出力可能に設定してなる時計装置において、時刻表示部が設けられた時計ケースと、立体と、前記立体の上下方向に対する向きを検出する検出装置とを備え、
前記検出装置にて検出された前記立体の向きに応じて、前記複数の出力パターンのなかから実際に出力する出力パターンを決定することを特徴とする時計装置。
【請求項２】
前記検出装置は、前記立体の内部に設けられた傾斜センサ及びＩＣタグと、前記時計ケースに設けられ前記ＩＣタグと非接触電力伝送方式にて通信をするアンテナとを備え、前記アンテナが前記ＩＣタグに電磁波を照射すると、前記ＩＣタグが誘導起電力を発生し、前記誘導起電力により、前記傾斜センサが前記立体の傾斜を検出するとともに前記ＩＣタグが当該検出情報を前記アンテナへ送信し、前記アンテナが受信した情報から前記立体の上下方向に対する向きを検出することを特徴とする請求項１記載の時計装置。
【請求項３】
前記立体はサイコロであることを特徴とする請求項１又は２記載の時計装置。
【請求項４】
前記時計ケースには前記サイコロを転がす部位を設けたことを特徴とする請求項３記載の時計装置。
【発明の詳細な説明】
【技術分野】
【０００１】
本発明は、その趣向を向上してなる時計装置に関する。
【背景技術】
【０００２】
近年、時計の機能や形態はますます多様化される傾向にあり、目覚し時計やからくり時計については、より玩具的な趣向を向上してなるものが好まれる傾向にある。例えば特許文献１には、時計ケースの上下の向きを変えることにより、予定時刻に発生する報知音を変更することができる時計装置が開示されている。
【特許文献１】特開２００２−３５０５６３号公報
【発明の開示】
【発明が解決しようとする課題】
【０００３】
本発明は、かつてない斬新な工夫を施すことにより、より趣向を凝らした時計装置を得ることを目的とする。
【課題を解決するための手段】
【０００４】
本願第１請求項に記載した発明は、複数の出力パターンを出力可能に設定してなる時計装置において、時刻表示部が設けられた時計ケースと、立体と、前記立体の上下方向に対する向きを検出する検出装置とを備え、前記検出装置にて検出された前記立体の向きに応じて、前記複数の出力パターンのなかから実際に出力する出力パターンを決定する構成の時計装置である。
【０００５】
本願第２請求項に記載した発明は、請求項１において、前記検出装置は、前記立体の内部に設けられた傾斜センサ及びＩＣタグと、前記時計ケースに設けられ前記ＩＣタグと非接触電力伝送方式にて通信をするアンテナとを備え、前記アンテナが前記ＩＣタグに電磁波を照射すると、前記ＩＣタグが誘導起電力を発生し、前記誘導起電力により、前記傾斜センサが前記立体の傾斜を検出するとともに前記ＩＣタグが当該検出情報を前記アンテナへ送信し、前記アンテナが受信した情報から前記立体の上下方向に対する向きを検出する構成の時計装置である。
【０００６】
本願第３請求項に記載した発明は、請求項１又は２において、前記立体はサイコロである構成の時計装置である。
【０００７】
本願第４請求項に記載した発明は、請求項３において、前記時計ケースには前記サイコロを転がす部位を設けた構成の時計装置である。
【発明の効果】
【０００８】
本発明によれば、より趣向を凝らした時計装置を得ることができる。
【発明を実施するための最良の形態】
【０００９】
以下に、本発明の第１実施例を図１乃至図５に基づいて詳細に説明する。図１及び図２に示す本例の時計装置１は、予定時刻になると所定の目覚し信号を出力する目覚し時計である。かかる時計装置１は、これを制御する制御部２０と、時刻を計時する計時手段３０と、予定時刻を設定するための予定時刻設定手段４０と、目覚し信号たる報知音を発生するスピーカ５０と、目覚し信号のＯＮ／ＯＦＦを切替える鳴止めスイッチ６０と、時刻表示部１１が設けられた時計ケース１０と、立体１１０と、この立体１１０の上下方向に対する向きを検出する検出装置１００とを備えている。制御部２０は、所要のプログラムを格納したマイコンである。計時手段３０は、時計ケース１０の正面に設けられた時刻表示部１１において指針３１を駆動する構成となっている。予定時刻設定手段４０は、不図示のツマミにて時刻表示部１１に設けられた目安針４１を動かすことにより、予定時刻を設定する構成となっている。
【００１０】
時計装置１の出力たる目覚し信号としては、複数の出力パターンが出力可能に設定されている。具体的には、制御部２０に複数のメロディーを記憶し、それらのメロディーをスピーカ５０からそれぞれ発生させる。各メロディーは、便宜的にそれぞれ報知音Ａ、報知音Ｂ、報知音Ｃ、報知音Ｄとする。そして、時計装置１は、検出装置１００にて検出された立体１１０の向きに応じて、複数の出力パターンのなかから実際に出力する出力パターンを決定する。つまり、立体１１０の向きを変えることにより、予定時刻に発生する報知音が変更される構成となっている。
【００１１】
検出装置１００は、立体１１０の内部に設けられた傾斜センサ１２０及びＩＣタグ１３０と、ＩＣタグ１３０と非接触電力伝送方式にて通信をするアンテナ１４０とを備えている。時計ケース１０の上部には、立体１１０を嵌め込む凹部１２が設けられており、アンテナ１４０は、凹部１２の底に設けられている。
【００１２】
本例の立体１１０は、中空状の四角柱である。立体１１０の各側面には、図３に示すように、報知音Ａ乃至報知音Ｄをそれぞれ表す文字又は絵柄が設けられている。
【００１３】
ＩＣタグ１３０は、図４に示すように、ＩＣチップ１３１と小型アンテナ１３２とを組み合わせてなるものである。これは一般に、ＲＦＩＤタグと称されるものである。前述したアンテナ１４０がＩＣタグ１３０に電磁波を照射すると、ＩＣタグ１３０の小型アンテナ１３２が誘導起電力（つまり電磁誘導の原理による電力）を発生する。誘導起電力が発生すると、その誘導起電力により、傾斜センサ１２０が立体１１０の傾斜を検出するとともにＩＣタグ１３０が当該検出情報をアンテナへ送信する。すると制御部２０は、アンテナ１４０が受信した情報から立体１１０の上下方向に対する向きを検出し、立体１１０の向きに応じて予定時刻に発生する報知音を決定する。予定時刻になると、その時上を向いている面に表示された報知音が発生する構成となっている。尚、立体１１０には傾斜センサ１２０及びＩＣタグ１３０の電源となるバッテリは設けられていない。
【００１４】
図５には、制御部２０による制御の一例を示す。先ず、計時手段３０の時刻が予定時刻設定手段４０にて設定された予定時刻になると（Ｓ１）、鳴止めスイッチ６０のＯＮ／ＯＦＦ状態を確認する（Ｓ２）。ここで、鳴止めスイッチ６０がＯＮの場合は、検出装置１００にて立体１１０の向きを検出する（Ｓ３）。そして、その時上を向いている面が報知音Ａを表示している場合は（Ｓ４）、報知音Ａを発生する（Ｓ５）。また同様に、報知音Ｂの場合は報知音Ｂ、報知音Ｃの場合は報知音Ｃ、報知音Ｄの場合は報知音Ｄを発生する（Ｓ６〜Ｓ１１）。尚、立体１１０が凹部１２に嵌め込まれていない場合は、立体１１０の向きは検出されない。つまり上を向いている面の表示は、報知音Ａ乃至報知音Ｄのいずれにも該当しない（Ｓ４，Ｓ６，Ｓ８，Ｓ１０）。かかる場合は報知音Ａを発生する（Ｓ５）。更に、いずれかの報知音を発生した後、鳴止めスイッチがＯＦＦに切替えられた時は（Ｓ２，Ｓ１２）、その報知音を停止する（Ｓ１３）。
【００１５】
以上説明したように、本例の時計装置は、立体の向きに応じて実際に出力する出力パターンを決定するものである。このような構成によると、出力パターンの決定方法が非常に斬新なものとなり、より趣向を凝らした面白い時計装置を得ることができる。尚、本例における各部の構成は、特許請求の範囲に記載した技術的範囲において適宜に設計変更が可能であり、図例説明したものに限定されないことは勿論である。例えば、複数の動作形態を複数の出力パターンとして出力可能に設定してなるからくり時計において、実際に出力する動作形態を立体の向きに応じて出力するように構成することも可能である。すなわち、立体の向きに応じて動作形態が異なるという面白いからくり時計を得ることもできる。
【００１６】
次に、本発明の第２実施例を図５乃至図１０に基づいて説明する。本例の時計装置１の場合、図６及び図７に示すように、立体１１０としては２つのサイコロを用いている。時計ケース１０の凹部１２は、これらのサイコロ１１０を転がす部位となっている。図９に示すように、各サイコロ１１０にはそれぞれ、一対の傾斜センサ１２０と、ＩＣタグ１３０とが設けられている。すなわちサイコロ１１０には、検出方向が異なる複数の傾斜センサ１２０が設けられており、サイコロの出目は、各傾斜センサ１２０による検出結果の組み合わせから特定される。尚、図９に示すように、凹部１２にはこれを覆う透明なカバー１３を設け、各サイコロ１１０は時計ケース１０を軽く振ることによって転がすように構成することも可能である。その他の基本構成は、前述した具体例と同様である。
【００１７】
図１０には、制御部２０による制御の一例を示す。先ず、計時手段３０の時刻が予定時刻設定手段４０にて設定された予定時刻になると（Ｓ１０１）、鳴止めスイッチ６０のＯＮ／ＯＦＦ状態を確認する（Ｓ１０２）。ここで、鳴止めスイッチ６０がＯＮの場合は、検出装置１００にて各立体１１０の向きをそれぞれ検出する（Ｓ１０３）。そして、その時上を向いている面の表示、つまり２つのサイコロの出目が２の場合は（Ｓ１０４）、報知音Ａを発生する（Ｓ１０５）。また同様に、３の場合は報知音Ｂ、４の場合は報知音Ｃ、５の場合は報知音Ｄ、６の場合は報知音Ｅ、７の場合は報知音Ｆ、８の場合は報知音Ｇ、９の場合は報知音Ｈ、１０の場合は報知音Ｉ、１１の場合は報知音Ｆ、１２の場合は報知音Ｋを発生する（Ｓ１０６〜Ｓ１１１）。尚、２つのサイコロが重なる等した場合は、立体１１０の向きが検出されない場合もある。つまり上を向いている面の表示は、報知音Ａ乃至報知音Ｄのいずれにも該当しない（Ｓ１０４，Ｓ１０６，Ｓ１０８，Ｓ１１０）。かかる場合は報知音Ａを発生する（Ｓ１０５）。更に、いずれかの報知音を発生した後、鳴止めスイッチがＯＦＦに切替えられた時は（Ｓ１０２，Ｓ１１２）、その報知音を停止する（Ｓ１１３）。
【００１８】
このように、立体としては複数のサイコロを用いることも可能である。時計ケースにはサイコロを転がす部位を設けるとよい。
【産業上の利用可能性】
【００１９】
本発明は、複数の出力パターンを出力可能に設定してなる目覚し時計やからくり時計として好適に利用することが可能である。
【図面の簡単な説明】
【００２０】
【図１】本発明の実施例に係り、時計装置を示す斜視図であり、（ａ）は立体を時計ケースの凹部に嵌め込む前の状態、（ｂ）は立体を時計ケースの凹部に嵌め込んだ後の状態を示している。
【図２】本発明の実施例に係り、時計装置を示す説明図である。
【図３】本発明の実施例に係り、立体を示す展開図である。
【図４】本発明の実施例に係り、傾斜センサ及びＩＣタグを示す説明図である。
【図５】本発明の実施例に係り、時計装置の制御を示すフローチャートである。
【図６】本発明の具体例に係り、時計装置を示す斜視図である。
【図７】本発明の具体例に係り、時計装置を示す説明図である。
【図８】本発明の具体例に係り、時計装置を示す斜視図である。
【図９】本発明の具体例に係り、傾斜センサ及びＩＣタグを示す説明図である。
【図１０】本発明の具体例に係り、時計装置の制御を示すフローチャートである。
【符号の説明】
【００２１】
１    時計装置
１０    時計ケース
１１    時刻表示部
１２    凹部
１３    カバー
２０    制御部
３０    計時手段
３１    指針
４０    予定時刻設定手段
４１    目安針
５０    スピーカ
６０    鳴止めスイッチ
１００    検出装置
１１０    立体
１２０    傾斜センサ
１３０    ＩＣタグ
１３１    ＩＣチップ
１３２    アンテナ
１４０    アンテナ
【図１】
2005274207.tif 000003
【図２】
2005274207.tif 000004
【図３】
2005274207.tif 000005
【図４】
2005274207.tif 000006
【図５】
2005274207.tif 000007
【図６】
2005274207.tif 000008
【図７】
2005274207.tif 000009
【図８】
2005274207.tif 000010
【図９】
2005274207.tif 000011
【図１０】
2005274207.tif 000012